(57)【要約】      （修正有）【課題】ジョブ実行中期間およびジョブ待機中期間の少なくとも一方の期間にジョブ実行モードの設定変更を行えるようにすることでユーザーの利便性を向上させることが可能な画像形成装置を提供する。【解決手段】操作パネル１０９は、実行対象ジョブのジョブ実行モードを実行対象ジョブ単位で設定するためのジョブ単位設定操作をジョブ実行中期間およびジョブ待機中期間の少なくとも一方の期間に受け付け、主制御部は、操作パネル１０９がジョブ単位設定操作を受け付けたとき、操作パネル１０９が受け付けたジョブ単位設定操作に基づき、ジョブ実行モードを実行対象ジョブ単位で設定する。【選択図】図１４
2014213529.tif 000002
【特許請求の範囲】
【請求項１】
予め定められた通常処理速度でジョブを実行する通常モード、および、前記通常処理速度よりも遅い静音処理速度でジョブを実行することによりジョブ実行時の静音性を高める静音モード、の２つのジョブ実行モードを搭載する画像形成装置であって、
前記通常モードでは前記通常処理速度でジョブを実行し、前記静音モードでは前記静音処理速度でジョブを実行するジョブ実行部と、
前記通常モードおよび前記静音モードのうちいずれの前記ジョブ実行モードでジョブを実行するかを設定するモード設定部と、
前記ジョブ実行モードの設定操作を受け付ける操作部と、を備え、
前記操作部は、実行中ジョブおよび待機中ジョブの少なくとも一方のジョブである実行対象ジョブの前記ジョブ実行モードを前記実行対象ジョブ単位で設定するためのジョブ単位設定操作を、前記実行対象ジョブが実行されているジョブ実行中期間および前記実行対象ジョブが待機させられているジョブ待機中期間の少なくとも一方の期間に受け付け、
前記モード設定部は、前記操作部が前記ジョブ単位設定操作を受け付けたとき、前記操作部が受け付けた前記ジョブ単位設定操作に基づき、前記ジョブ実行モードを前記実行対象ジョブ単位で設定し、
前記ジョブ実行部は、前記モード設定部により設定された前記ジョブ実行モードで前記実行対象ジョブを実行することを特徴とする画像形成装置。
【請求項２】
前記操作部は、タッチパネル付きの表示部を含み、前記ジョブ実行中期間および前記ジョブ待機中期間の少なくとも一方の期間に、前記通常モードに設定変更するための通常モードキーおよび前記静音モードに設定変更するための静音モードキーを有するモード設定キーを前記表示部に表示させるとともに、前記モード設定キーをタッチする操作を前記ジョブ単位設定操作として受け付け、
前記モード設定部は、前記モード設定キーに対して前記ジョブ単位設定操作が行われたとき、前記通常モードキーが操作対象となっていれば、前記実行対象ジョブの前記ジョブ実行モードを前記通常モードに設定する一方、前記静音モードキーが操作対象となっていれば、前記実行対象ジョブの前記ジョブ実行モードを前記静音モードに設定することを特徴とする請求項１に記載の画像形成装置。
【請求項３】
前記操作部は、複数の前記実行対象ジョブが存在する場合、複数の前記実行対象ジョブにそれぞれ対応する複数の前記モード設定キーを表示することにより、前記ジョブ単位設定操作を前記実行対象ジョブ単位で受け付けることを特徴とする請求項２に記載の画像形成装置。
【請求項４】
前記操作部は、前記ジョブ実行中期間および前記ジョブ待機中期間の少なくとも一方の期間に、前記実行対象ジョブの実行状況を示すジョブ実行状況画面を表示し、前記ジョブ実行状況画面内に前記モード設定キーを表示することを特徴とする請求項２または３に記載の画像形成装置。
【請求項５】
前記操作部は、前記通常モードに設定された前記実行対象ジョブに対応する前記モード設定キーのうち、前記通常モードキーの表示形態を第１表示形態とするとともに、前記静音モードキーの表示形態を前記第１表示形態とは異なる第２表示形態とする一方、前記静音モードに設定された前記実行対象ジョブに対応する前記モード設定キーのうち、前記静音モードキーの表示形態を前記第１表示形態とするとともに、前記通常モードキーの表示形態を前記第２表示形態とすることを特徴とする請求項２〜４のいずれか１項に記載の画像形成装置。
【請求項６】
前記操作部は、前記通常モードキーを前記第１表示形態で表示するときの前記通常モードキーの表示形態および前記静音モードキーを前記第１表示形態で表示するときの前記静音モードキーの表示形態を互いに異ならせることを特徴とする請求項５に記載の画像形成装置。
【請求項７】
前記モード設定部は、前記実行対象ジョブのジョブ量を算出するとともに、前記ジョブ量が予め定められた閾値を超えたか否かを判断し、前記ジョブ量が前記閾値を超えれば、前記実行対象ジョブの前記ジョブ実行モードを前記通常モードに設定する一方、前記ジョブ量が前記閾値を超えなければ、前記実行対象ジョブの前記ジョブ実行モードを前記静音モードに設定することを特徴とする請求項１〜６のいずれか１項に記載の画像形成装置。
【請求項８】
前記通常モードおよび前記静音モードのうちいずれかをデフォルトモードとして記憶する記憶部と、
前記ジョブ実行部および前記モード設定部を含む被電力供給部に電力供給を行う部分であり、通常電力モードでは、前記被電力供給部に対して通常の電力供給を行い、省電力モードでは、前記被電力供給部に対する電力供給を前記通常電力モード時よりも制限する電源部と、を備え、
前記モード設定部は、画像形成装置の起動時には、前記記憶部に記憶された前記デフォルトモードを前記ジョブ実行モードとして設定し、
前記操作部は、前記通常電力モードから前記省電力モードへの移行を禁止するか否かを設定するための操作を受け付け、
前記記憶部は、前記通常電力モードから前記省電力モードへの移行を禁止する旨を前記操作部が受け付けたとき、前記通常モードを前記デフォルトモードとして記憶する一方、前記通常電力モードから前記省電力モードへの移行を許可する旨を前記操作部が受け付けたとき、前記静音モードを前記デフォルトモードとして記憶することを特徴とする請求項１〜７のいずれか１項に記載の画像形成装置。
【請求項９】
前記通常モードおよび前記静音モードのうちいずれかをデフォルトモードとして記憶する記憶部を備え、
前記モード設定部は、画像形成装置の起動時には、前記記憶部に記憶された前記デフォルトモードを前記ジョブ実行モードとして設定し、
前記記憶部は、予め定められた所定期間内における前記通常モードでのジョブ実行頻度が前記静音モードでのジョブ実行頻度よりも高ければ、前記通常モードを前記デフォルトモードとして記憶する一方、前記所定期間内における前記静音モードでのジョブ実行頻度が前記通常モードでのジョブ実行頻度よりも高ければ、前記静音モードを前記デフォルトモードとして記憶することを特徴とする請求項１〜８のいずれか１項に記載の画像形成装置。
【請求項１０】
ユーザーの認証を行うための予め登録された認証情報を記憶するとともに、前記通常モードおよび前記静音モードのうちいずれかをデフォルトモードとして前記認証情報に対応付けて記憶する記憶部を備え、
前記モード設定部は、前記識別情報と前記認証情報とに基づき前記識別情報を入力したユーザーを認証するか否かを判断し、前記識別情報を入力したユーザーを認証したとき、認証の基となった前記認証情報に対応する前記デフォルトモードを前記ジョブ実行モードとして設定することを特徴とする請求項１〜９のいずれか１項に記載の画像形成装置。
【請求項１１】
前記操作部は、表示部を含み、前記モード設定部により設定された前記ジョブ実行モードが前記通常モードであるか前記静音モードであるかを視覚的に識別可能に示すアイコンを前記表示部に表示させることを特徴とする請求項１〜１０のいずれか１項に記載の画像形成装置。
【請求項１２】
前記操作部は、表示部を含み、前記ジョブ実行モードが設定変更されることによってジョブ実行時に発生される音レベルがどれだけ変化するかを示す音情報を前記表示部に表示させることを特徴とする請求項１〜１１のいずれか１項に記載の画像形成装置。
【請求項１３】
ジョブ実行中に駆動するファンを備え、
前記ファンは、前記ジョブ実行モードが前記静音モードである場合には、前記モード設定部により設定された前記ジョブ実行モードが前記通常モードである場合よりも、ジョブ終了後に継続して駆動し続ける時間を短くすることを特徴とする請求項１〜１２のいずれか１項に記載の画像形成装置。
【発明の詳細な説明】
【技術分野】
【０００１】
本発明は、印刷などのジョブを実行するジョブ実行部を備えた画像形成装置に関する。
【背景技術】
【０００２】
従来、スキャン機能、プリント機能およびコピー機能など複数種の機能を有する画像形成装置が知られている。スキャン機能のジョブでは、原稿を読み取って印刷データを生成する。プリント機能のジョブでは、外部機器から送信された印刷データに基づき用紙に印刷する。コピー機能のジョブでは、原稿の読み取りによって得られた印刷データに基づき用紙に印刷する。
【０００３】
このような画像形成装置に備えられるジョブ実行部としては、シートを搬送するための搬送部や、画像を形成するための画像形成部などがある。そして、ジョブ実行部は、モーターから駆動力が伝達されて駆動し、ジョブを実行する。このため、ジョブ実行時には、モーターの回転音やジョブ実行部の駆動音が画像形成装置内から発せられ、ユーザーが不快に感じることがある。
【０００４】
そこで、従来では、予め定められた処理速度でジョブを実行する通常モード、および、通常モード時よりも遅い処理速度でジョブを実行することによりジョブ実行時の静音性を高める静音モードの２つのジョブ実行モードを搭載した画像形成装置が提案されている（たとえば、特許文献１の段落００４９参照）。
【先行技術文献】
【特許文献】
【０００５】
【特許文献１】特開２００９−９６６２４号公報
【発明の概要】
【発明が解決しようとする課題】
【０００６】
従来の画像形成装置は、ユーザーからジョブの実行指示を受けると、ジョブの開始前に設定されたジョブ実行モードでジョブを開始する。なお、ジョブの開始前というのは、たとえば、原稿の読み取り前、あるいは、印刷データの受信前である。そして、ジョブが終了するまで、ジョブ実行モードを従前の設定のまま保持し、ジョブ実行モードの設定変更を行わない。
【０００７】
ここで、ユーザーによっては、ジョブが実行されているジョブ実行中期間あるいはジョブが待機させられているジョブ待機中期間にジョブ実行モードを設定変更したい場合がある。たとえば、ジョブを速やかに終了させたいにもかかわらずジョブが開始されてから静音モードに設定されていることに気付いた場合や、通常モードでのジョブ実行中に予想以上の大きな音が画像形成装置内から発せられた場合などである。しかし、このような場合であっても、従来の画像形成装置では、ジョブが開始されてしまうと、ジョブ実行モードの設定変更ができない。したがって、ユーザーにとっては利便性が悪い。
【０００８】
本発明は、上記課題を解決するためになされたものであって、通常モードおよび静音モードの２つのジョブ実行モードを搭載した画像形成装置において、ジョブ実行中期間およびジョブ待機中期間の少なくとも一方の期間にジョブ実行モードの設定変更を行えるようにすることでユーザーの利便性を向上させることが可能な画像形成装置を提供することを目的とする。
【課題を解決するための手段】
【０００９】
上記目的を達成するために、本発明の画像形成装置は、予め定められた通常処理速度でジョブを実行する通常モード、および、通常処理速度よりも遅い静音処理速度でジョブを実行することによりジョブ実行時の静音性を高める静音モード、の２つのジョブ実行モードを搭載する画像形成装置であって、通常モードでは通常処理速度でジョブを実行し、静音モードでは静音処理速度でジョブを実行するジョブ実行部と、通常モードおよび静音モードのうちいずれのジョブ実行モードでジョブを実行するかを設定するモード設定部と、ジョブ実行モードの設定操作を受け付ける操作部と、を備える。そして、操作部は、実行中ジョブおよび待機中ジョブの少なくとも一方のジョブである実行対象ジョブのジョブ実行モードを実行対象ジョブ単位で設定するためのジョブ単位設定操作を、実行対象ジョブが実行されているジョブ実行中期間および実行対象ジョブが待機させられているジョブ待機中期間の少なくとも一方の期間に受け付け、モード設定部は、操作部がジョブ単位設定操作を受け付けたとき、操作部が受け付けたジョブ単位設定操作に基づき、ジョブ実行モードを実行対象ジョブ単位で設定し、ジョブ実行部は、モード設定部により設定されたジョブ実行モードで実行対象ジョブを実行する。
【００１０】
本発明の構成では、ジョブ実行中期間およびジョブ待機中期間の少なくとも一方の期間に、実行対象ジョブのジョブ実行モードを実行対象ジョブ単位で設定変更することができる。すなわち、実行対象ジョブの実行中にその実行中の実行対象ジョブのジョブ実行モードを設定変更することができ、実行対象ジョブの待機中にその待機中の実行対象ジョブのジョブ実行モードを設定変更することもできる。また、実行対象ジョブのジョブ実行モードを実行対象ジョブ単位で設定変更することができるので、複数の実行対象ジョブが待機中である場合に、複数の実行対象ジョブのうちから特定の実行対象ジョブのジョブ実行モードのみを設定変更し、残りの実行対象ジョブのジョブ実行モードについては従前の設定のまま保持する、といったことも行える。さらに、実行対象ジョブの実行中に別の実行対象ジョブが待機中である場合に、実行中の実行対象ジョブのジョブ実行モードのみを設定変更する、あるいは、待機中の実行対象ジョブのジョブ実行モードのみを設定変更する、といったことも行える。これにより、ユーザーの利便性が向上する。
【発明の効果】
【００１１】
本発明によれば、ジョブ実行中期間およびジョブ待機中期間の少なくとも一方の期間にジョブ実行モードの設定変更を行えるので、ユーザーの利便性が向上する。
【図面の簡単な説明】
【００１２】
【図１】本発明の一実施形態による画像形成装置の全体構成図
【図２】図１に示した画像形成装置に備えられる操作パネル（操作部）の正面図
【図３】図１に示した画像形成装置のハードウェア構成を説明するためのブロック図
【図４】図１に示した画像形成装置の操作パネルに表示される画面の図
【図５】図１に示した画像形成装置の操作パネルに表示される画面（機能単位でのジョブ実行モードの設定変更を受け付けるための画面）の図
【図６】図５に示した画面内に表示されるモード設定キーの変形例の図
【図７】図１に示した画像形成装置の操作パネルに表示される画面（機能単位でのジョブ実行モードの設定変更を受け付けるため画面）の図
【図８】図１に示した画像形成装置の操作パネルに表示される画面（機能単位でのジョブ実行モードの設定変更を受け付けるため画面）の図
【図９】図１に示した画像形成装置の操作パネルに表示される画面の図
【図１０】図１に示した画像形成装置において機能単位でジョブ実行モードを設定するときの流れを説明するためのフローチャート
【図１１】図１に示した画像形成装置の操作パネルに表示される画面（ジョブ実行モードの設定変更を受け付けるための画面）の図
【図１２】図１に示した画像形成装置の操作パネルに表示される画面（ジョブ実行モードの設定変更を受け付けるための画面）の図
【図１３】図１に示した画像形成装置の操作パネルに表示される画面（ジョブ実行モードの設定変更を許可するか否かを受け付けるための画面）の図
【図１４】図１に示した画像形成装置の操作パネルに表示される画面（実行対象ジョブ単位でのジョブ実行モードの設定変更を受け付けるため画面）の図
【図１５】図１に示した画像形成装置の操作パネルに表示される画面（実行対象ジョブ単位でのジョブ実行モードの設定変更を受け付けるため画面）の図
【図１６】図１に示した画像形成装置の操作パネルに表示される画面（実行対象ジョブ単位でのジョブ実行モードの設定変更を受け付けるため画面）の図
【図１７】図１に示した画像形成装置において実行対象ジョブ単位でジョブ実行モードを設定するときの流れを説明するためのフローチャート
【図１８】図１に示した画像形成装置の操作パネルに表示される画面（電力モードの設定を受け付けるための画面）の図
【図１９】図１に示した画像形成装置の操作パネルに表示される画面（ユーザー認証を受け付けるための画面）の図
【発明を実施するための形態】
【００１３】
本実施形態の画像形成装置について、スキャン機能、プリント機能およびコピー機能など複数種の機能を有する複合機を例にとって説明する。
【００１４】
（画像形成装置の全体構成）
図１に示すように、画像形成装置１００は、原稿搬送部１０１、画像読取部１０２およびエンジン部１０３（給紙部１０４、用紙搬送部１０５、画像形成部１０６および定着部１０７）を備える。
【００１５】
原稿搬送部１０１および画像読取部１０２は、スキャン機能を実現するためのジョブ実行部である。エンジン部１０３は、プリント機能を実現するためのジョブ実行部である。なお、コピー機能は、スキャン機能とプリント機能との組み合わせで実現される複合機能である。以下の説明では、原稿搬送部１０１、画像読取部１０２およびエンジン部１０３を総じてジョブ実行部１０８と称する場合がある。
【００１６】
原稿搬送部１０１は、給紙トレイ１１にセットされた原稿Ｄを原稿搬送路１０に供給した後、搬送読取位置に搬送し、排出トレイ１２に排出する。この原稿搬送部１０１には、原稿搬送路１０に原稿Ｄを供給するための給紙ローラー１３や、原稿搬送路１０に沿って原稿Ｄを搬送するための複数の搬送ローラー対１４が設けられている。
【００１７】
画像読取部１０２は、搬送読取用のコンタクトガラス２０ａ上（搬送読取位置）に搬送される原稿Ｄあるいは載置読取用のコンタクトガラス２０ｂ上に載置された原稿Ｄを読み取り、原稿Ｄの画像データを生成する。この画像読取部１０２には、ランプ２１、ミラー２２、レンズ２３およびラインセンサー２４などによって構成される読取機構が設けられている。
【００１８】
ランプ２１およびミラー２２は、主走査方向（図１の紙面に対して垂直な方向）と直交する副走査方向に移動可能に設置された保持部材２５に保持される。保持部材２５は、ワイヤー２６の一端と連結される。ワイヤー２６の他端は、回転することでワイヤー２６を巻き取る巻取ドラム２７に連結される。なお、保持部材２５には複数本のワイヤー２６が連結され、複数本のワイヤー２６が架けまわされる。ただし、図１では、便宜上、ワイヤー２６を１本のみ図示している。
【００１９】
これにより、巻取ドラム２７が回転することによって保持部材２５が副走査方向に移動する。そして、コンタクトガラス２０ａ上に搬送される原稿Ｄの読み取りは、保持部材２５をコンタクトガラス２０ａの下方に移動させた状態で行う。コンタクトガラス２０ｂ上に載置された原稿Ｄの読み取りは、保持部材２５をコンタクトガラス２０ｂの下方において副走査方向に移動させながら行う。
【００２０】
給紙部１０４は、用紙Ｐを収容する給紙カセット４１を有し、その給紙カセット４１内に収容された用紙Ｐを用紙搬送路５０に供給する。給紙部１０４には、用紙搬送路５０に用紙Ｐを供給するための給紙ローラー４２が設けられている。なお、画像形成装置１００は、上下方向に積層装着された複数段の給紙部１０４を備える。ただし、画像形成装置１００に装着される給紙部１０４が１段分だけでもよい。
【００２１】
用紙搬送部１０５は、用紙搬送路５０に供給された用紙Ｐを転写ニップおよび定着ニップの順番で搬送し、排出トレイ５１に排出する。この用紙搬送部１０５には、用紙搬送路５０に沿って用紙Ｐを搬送するための複数の搬送ローラー対５２が設けられている。複数の搬送ローラー対５２のうち１つの搬送ローラー対５２は、レジストローラー対５３である。レジストローラー対５３は、用紙Ｐを転写ニップの手前で待機させ、タイミングを合わせて転写ニップに送り出す。
【００２２】
画像形成部１０６は、画像データ（たとえば、画像読取部１０２の読み取りによって得られた画像データ）に基づきトナー像を形成し、そのトナー像を用紙Ｐに転写する。画像形成部１０６は、感光体ドラム６１、帯電装置６２、露光装置６３、現像装置６４、転写ローラー６５およびクリーニング装置６６を含む。
【００２３】
画像形成時には、感光体ドラム６１が回転し、その感光体ドラム６１の表面を帯電装置６２が所定電位に帯電させる。また、露光装置６３は、露光用の光を発光する発光素子（図示せず）を有しており、その発光素子を画像データに基づき点消灯させつつ、感光体ドラム６１の表面を走査露光する。これにより、感光体ドラム６１の表面に静電潜像を形成する。現像装置６４は、感光体ドラム６１の表面に形成された静電潜像にトナーを供給して現像する。
【００２４】
転写ローラー６５は、感光体ドラム６１の表面に圧接し、感光体ドラム６１との間で転写ニップを形成する。その状態で、レジストローラー対５３がタイミングを計り、転写ニップに用紙Ｐを進入させる。このとき、転写ローラー６５には転写用電圧が印加される。これによって、感光体ドラム６１の表面のトナー像が用紙Ｐに転写される。クリーニング装置６６は、用紙Ｐへのトナー像の転写が終わると、感光体ドラム６１の表面に残留するトナーなどを除去する。
【００２５】
定着部１０７は、用紙Ｐに転写されたトナー像を加熱および加圧して定着させる。この定着部１０７は、加熱ローラー７１および加圧ローラー７２を含む。加熱ローラー７１は、発熱源を内蔵する。加圧ローラー７２は、定着ローラー７１に圧接し、加熱ローラー７１との間で定着ニップを形成する。そして、トナー像が転写された用紙Ｐは、定着ニップを通過することにより、加熱および加圧される。これにより、用紙Ｐにトナー像が定着される。印刷済みの用紙Ｐは、搬送ローラー対５２によって排出トレイ５１に送られる。
【００２６】
また、画像形成装置１００は、図２に示すような操作パネル１０９を備える。操作パネル１０９は、液晶表示部９１を含む。この液晶表示部９１は、表示面にタッチパネル部９２が配置されたタッチパネル付きの表示部である。液晶表示部９１は、各種設定などを受け付けるためのソフトキーやメッセージなどを表示する。さらに、操作パネル１０９には、テンキー９３、スタートキー９４および状況確認キー９５などのハードキーも設けられている。
【００２７】
図１に戻って、画像形成装置１００は、ファン１００Ｆを備える。このファン１００Ｆは、ジョブ実行中に画像形成装置１００内の空気を循環し、画像形成装置１００内を冷却する。
【００２８】
（画像形成装置のハードウェア構成）
【００２９】
図３に示すように、画像形成装置１００は、画像形成装置１００の全体制御を行う主制御部１１０を備える。主制御部１１０は、ＣＰＵ１１１、記憶部１１２および画像処理部１１３などを含む。記憶部１１２は、ＲＯＭ、ＲＡＭおよびＨＤＤなどからなり、たとえば、ジョブの実行に必要なプログラムおよびデータがＲＯＭに記憶され、それらプログラムおよびデータがＲＡＭに展開される。画像処理部１１３は、画像処理専用のＡＳＩＣなどからなり、画像データに対して各種画像処理（拡大／縮小、濃度変換およびデータ形式変換など）を施す。
【００３０】
主制御部１１０は、エンジン制御部１２０と接続される。エンジン制御部１２０は、主制御部１１０から指示を受け、エンジン部１０３（給紙部１０４、用紙搬送部１０５、画像形成部１０６および定着部１０７）の印刷動作を制御する。たとえば、エンジン制御部１２０は、エンジン部１０３の各種回転体を回転させるためのモーターＭ１の駆動を制御し、エンジン部１０３の各種回転体を適切に回転させる。
【００３１】
なお、モーターＭ１は、用紙搬送用モーター、画像形成用モーターおよび定着用モーターなどである。用紙搬送モーターは、給紙部１０４および用紙搬送部１０５に設置された用紙搬送に用いる各種回転体（搬送ローラー対５２など）を回転させるためのモーターである。画像形成用モーターは、画像形成部１０６に設置された画像形成に用いる各種回転体（感光体ドラム６１など）を回転させるためのモーターである。定着用モーターは、定着部１０７に設置された定着に用いる各種回転体（加熱ローラー７１など）を回転させるためのモーターである。
【００３２】
また、主制御部１１０は、原稿搬送制御部１３０と接続される。原稿搬送制御部１３０は、主制御部１１０から指示を受け、原稿搬送部１０１の原稿搬送動作を制御する。たとえば、原稿搬送制御部１３０は、給紙ローラー１３および搬送ローラー対１４を回転させるためのモーターＭ２の駆動を制御し、給紙ローラー１３および搬送ローラー対１４を適切に回転させる。
【００３３】
また、主制御部１１０は、画像読取制御部１４０と接続される。画像読取制御部１４０は、主制御部１１０から指示を受け、画像読取部１０２の画像読取動作を制御する。たとえば、画像読取制御部１４０は、巻取ドラム２７を回転させるためのモーターＭ３の駆動を制御し、巻取ドラム２７を適切に回転させる（保持部材２５を副走査方向に適切に移動させる）。
【００３４】
また、主制御部１１０は、パネル制御部１５０と接続される。パネル制御部１５０は、主制御部１１０から指示を受け、操作パネル１０９の表示動作を制御する。さらに、パネル制御部１５０は、操作パネル１０９に対して行われた操作の検知も行う。すなわち、パネル制御部１５０は、液晶表示部９１に表示させたソフトキーがタッチされると、タッチパネル部９２の出力に基づきタッチ位置を検知する（タッチされたソフトキーを検知する）。さらに、パネル制御部１５０は、ハードキー（テンキー９３、スタートキー９４および状況確認キー９５など）が押下されると、押下されたハードキーを検知する。パネル制御部１５０は、操作パネル１０９に対して行われた操作を検知すると、検知結果を主制御部１１０に送信する。これにより、操作パネル１０９に対して行われた操作を主制御部１１０が認識する。
【００３５】
また、主制御部１１０は、通信制御部１６０と接続される。通信制御部１６０は、たとえば、外部のコンピューター２００とネットワークを介して通信可能に接続される。これにより、コンピューター２００から送信された画像データに基づき印刷を行うことができるとともに、原稿Ｄの読み取りによって得られた画像データをコンピューター２００に送信することもできる。また、通信制御部１６０にモデムなどを内蔵してもよい。この場合には、電話回線などのネットワークを介して、外部のファクシミリ３００とファックス通信することができる。
【００３６】
また、主制御部１１０は、電源部１７０と接続される。電源部１７０は、商用電源と接続され、画像形成装置１００を動作させるのに必要な電圧を生成する。そして、電源部１７０は、ジョブ実行部１０８、操作パネル１０９および各制御部（主制御部１１０、エンジン制御部１２０、原稿搬送制御部１３０、画像読取制御部１４０、パネル制御部１５０および通信制御部１６０）を被電力供給部として電力供給を行う。以下、電源部１７０から電力供給を受けて動作する各部を総じて被電力供給部１８０と称する場合がある。
【００３７】
ここで、画像形成装置１００は、被電力供給部１８０に対する電力供給に関する電力モードとして、通常電力モードと省電力モード（スリープモード）とを搭載する。通常電力モードというのは、被電力供給部１８０に対して通常の電力供給を行うモードである。省電力モードというのは、被電力供給部１８０に対する電力供給を通常電力モード時よりも制限するモードである。
【００３８】
電源部１７０は、通常電力モードのときには、被電力供給部１８０の全部分に対して電力を供給する。一方で、電源部１７０は、通常電力モードから省電力モードに移行したときには、被電力供給部１８０の一部にのみ電力を供給し、それ以外の部分に対する電力供給を停止する。
【００３９】
主制御部１１０は、通常電力モードから省電力モードへの移行条件が満たされると、通常電力モードから省電力モードに移行させる。たとえば、主制御部１１０は、画像形成装置１００が使用されないまま経過した未使用時間を計時し、画像形成装置１００の未使用時間が予め定められた閾値時間を超えた場合に、移行条件が満たされたとして、通常モードから省電力モードに移行させる。あるいは、主制御部１１０は、通常電力モードから省電力モードへの移行指示を操作パネル１０９が受け付けた場合にも、移行条件が満たされたとして、通常電力モードから省電力モードに移行させる。
【００４０】
そして、電源部１７０は、省電力モードから通常電力モードへの復帰条件が満たされたこと示す復帰信号を復帰条件検知部から受けたとき、被電力供給部１８０の全部分への電力供給を再開する（省電力モードから通常電力モードに復帰させる）。なお、電源部１７０は、復帰信号を復帰条件検知部から受けるため、省電力モードであっても、復帰条件検知部に対する電力供給は続ける。
【００４１】
復帰条件検知部に相当する部分としては、操作パネル１０９が挙げられる。たとえば、操作パネル１０９は、省電力モードのときに操作を受けると、復帰信号を電源部１７０に送信する。また、通信制御部１６０も復帰条件検知部として機能する。通信制御部１６０は、省電力モードのときにコンピューター２００やファクシミリ３００からデータを受信すると、復帰信号を電源部１７０に送信する。
【００４２】
さらに、図示しないが、画像形成装置１００に取り付けられた装置カバーの開閉を検知するためのセンサー、原稿搬送部１０１が画像読取部１０２に対して開閉されたことを検知するためのセンサー、原稿Ｄが原稿セットトレイ１１にセットされたことを検知するためのセンサー、および、給紙カセット４１の着脱を検知するためのセンサーなども復帰条件検知部として機能する。すなわち、電源部１７０は、省電力モードのときに、装置カバーや原稿搬送部１０１が開閉されたり、原稿セットトレイ１１に原稿Ｄがセットされたり、給紙カセット４１が着脱されたりすることで、省電力モードから通常モードに復帰させる。
【００４３】
また、主制御部１１０は、ファン１００Ｆと接続され、ファン１００Ｆの駆動を制御する。たとえば、主制御部１１０は、ジョブ実行中にファン１００Ｆを駆動させる。そして、主制御部１１０は、ジョブ終了後、予め定められた時間が経過してからファン１００Ｆの駆動を停止させる。なお、ファン１００Ｆも被電力供給部１８０である。
【００４４】
（ジョブ実行モード（通常モードおよび静音モード）の概要）
【００４５】
画像形成装置１００は、予め定められた通常処理速度でジョブを実行する通常モード、および、通常処理速度よりも遅い静音処理速度でジョブを実行することによりジョブ実行時の静音性を高める静音モードの２つのジョブ実行モードを搭載する。すなわち、ジョブ実行部１０８は、通常モードでは通常処理速度でジョブを実行し、静音モードでは静音処理速度でジョブを実行する。
【００４６】
スキャン機能では、ジョブ実行モードを通常モードに設定すると、原稿搬送部１０１による原稿Ｄの搬送速度が予め定められた通常速度になる。一方で、ジョブ実行モードを静音モードに設定すると、原稿Ｄの搬送速度が通常モード時よりも遅くなる。すなわち、原稿搬送制御部１３０は、ジョブ実行モードが静音モードに設定された場合、モーターＭ２の回転速度を通常モード時よりも遅くする。たとえば、原稿Ｄの搬送速度は３段階に切り替え可能となっている。そして、原稿搬送制御部１３０は、通常モード時にはモーターＭ２の回転速度を３段階のうち最も高速とし、静音モード時にはモーターＭ２の回転速度を３段階のうち最も低速とする。
【００４７】
プリント機能では、ジョブ実行モードを通常モードに設定すると、エンジン部１０３による用紙Ｐの搬送速度が予め定められた通常速度になる。一方で、ジョブ実行モードを静音モードに設定すると、用紙Ｐの搬送速度が通常モード時よりも遅くなる。すなわち、エンジン制御部１２０は、ジョブ実行モードが静音モードに設定された場合、モーターＭ１の回転速度を通常モード時よりも遅くする。たとえば、エンジン制御部１２０は、静音モード時のモーターＭ１の回転速度を通常モード時のモーターＭ１の回転速度の５０％にする。
【００４８】
プリント機能とスキャン機能とを組み合わせたコピー機能では、ジョブ実行モードを通常モードに設定すると、原稿Ｄおよび用紙Ｐの搬送速度が通常速度になる。一方で、ジョブ実行モードを静音モードに設定すると、原稿Ｄおよび用紙Ｐの搬送速度が通常モード時より遅くなる。
【００４９】
このように、静音モードでは、モーターＭ１およびＭ２の回転速度が遅くなるので、モーターＭ１およびＭ２の回転音が通常モード時よりも小さくなるとともに、モーターＭ１およびＭ２の駆動力が伝達されて駆動する各駆動部の駆動音も通常モード時よりも小さくなる。また、用紙Ｐの搬送速度が遅くなると、用紙Ｐと用紙搬送路５０とが擦れることにより生じる摺動音が小さくなり、原稿Ｄの搬送速度が遅くなると、原稿Ｄと原稿搬送路１０とが擦れることにより生じる摺動音が小さくなる。したがって、静音モードでは、通常モードよりも、画像形成装置１００内から発せられる音レベルが低くなる。言い換えると、静音性が高くなる。
【００５０】
通常モードおよび静音モードのうちいずれのジョブ実行モードでジョブ実行モードを実行するかの設定は主制御部１１０が行う。すなわち、主制御部１１０は、本発明の「モード設定部」に相当する。
【００５１】
たとえば、記憶部１１２は、通常モードおよび静音モードのうちいずれかをデフォルトモードとして記憶する。そして、主制御部１１０は、画像形成装置１００の起動時に、記憶部１１２に記憶されたデフォルトモードをジョブ実行モードとして設定する。なお、画像形成装置１００の起動時というのは、画像形成装置１００に対する主電源投入時だけでなく、省電力モードから通常電力モードへの復帰時も含む。
【００５２】
（機能単位でのジョブ実行モードの設定）
操作パネル１０９は、図４に示すような機能画面ＦＳを複数種の機能毎に液晶表示部９１に表示させる。なお、図４には、一例として、コピー機能の機能画面ＦＳを図示している。
【００５３】
機能画面ＦＳ内には、対応する機能において設定値の変更が可能な設定項目を示す設定項目キーＩＫが表示される。たとえば、コピー機能の機能画面ＦＳには、用紙選択、縮小／拡大、濃度、両面／分割およびページ集約などの各設定項目の設定項目キーＩＫが表示される。また、設定項目キーＩＫには、対応する設定項目の現時点の設定値が表記される。そして、操作パネル１０９は、設定項目キーＩＫがタッチされると、タッチされた設定項目キーＩＫに対応する設定項目の設定値を設定変更するための画面（図示せず）を液晶表示部９１に表示させる。これにより、ユーザーは、現時点の設定値を認識することができるとともに、その設定値を設定変更することもできる。
【００５４】
また、機能画面ＦＳ内には、ジョブ実行モードキーＪＫも表示される。操作パネル１０９は、ジョブ実行モードキーＪＫがタッチされると、ジョブ実行モードを設定変更するためのジョブ実行モード設定画面ＪＳ（図５参照）を液晶表示部９１に表示させる。なお、ジョブ実行モード設定画面ＪＳは、複数種の機能のジョブ実行モードを機能単位で設定するための機能単位設定操作を受け付ける画面である。すなわち、操作パネル１０９は、本発明の「操作部」に相当し、機能単位設定操作を受け付ける。
【００５５】
ジョブ実行モード設定画面ＪＳ内には、図５に示すように、複数種の機能にそれぞれ対応する複数の表示領域ＤＡが存在する。複数の表示領域ＤＡには、対応する機能を示すテキストが表示される。たとえば、スキャン機能に対応する表示領域ＤＡには「スキャン」というテキストが表示され、コピー機能に対応する表示領域ＤＡには「コピー」というテキストが表示され、プリント機能に対応する表示領域ＤＡには「プリント」というテキストが表示される。
【００５６】
複数の表示領域ＤＡ内には、通常モードキーＮＫ１および静音モードキーＳＫ１を有するモード設定キーＭＫ１が１つずつ表示される。すなわち、操作パネル１０９は、複数種の機能毎にモード設定キーＭＫ１を表示する。スキャン機能の表示領域ＤＡ内に表示されたモード設定キーＭＫ１はスキャン機能のジョブ実行モードの設定変更を受け付けるためのキーであり、コピー機能の表示領域ＤＡ内に表示されたモード設定キーＭＫ１はコピー機能のジョブ実行モードの設定変更を受け付けるためのキーであり、プリント機能の表示領域ＤＡ内に表示されたモード設定キーＭＫ１はプリント機能のジョブ実行モードの設定変更を受け付けるためのキーである。また、通常モードキーＮＫ１は、ジョブ実行モードを通常モードに設定変更するためのキーであり、静音モードキーＳＫ１は、ジョブ実行モードを静音モードに設定変更するためのキーである。
【００５７】
操作パネル１０９は、モード設定キーＭＫ１がタッチされると、そのタッチ操作を機能単位設定操作として受け付ける。そして、主制御部１１０は、操作パネル１０９が機能単位設定操作を受け付けたとき、操作パネル１０９が受け付けた機能単位設定操作に基づき、複数種の機能のジョブ実行モードを機能単位で設定変更する。
【００５８】
具体的には、主制御部１１０は、モード設定キーＭＫ１に対して機能単位設定操作が行われたとき、通常モードキーＮＫ１が操作対象となっていれば、機能単位設定操作が行われたモード設定キーＭＫ１に対応する所定機能のジョブ実行モードを通常モードに設定変更する。一方で、主制御部１１０は、モード設定キーＭＫ１に対して機能単位設定操作が行われたとき、静音モードキーＳＫ１が操作対象となっていれば、機能単位設定操作が行われたモード設定キーＭＫ１に対応する所定機能のジョブ実行モードを静音モードに設定変更する。このとき、主制御部１１０は、所定機能以外の機能のジョブ実行モードについては、設定変更せずに従前の設定のまま保持する。
【００５９】
たとえば、スキャン機能に対応するモード設定キーＭＫ１に対して機能単位設定操作が行われたとする。この場合、主制御部１１０は、通常モードキーＮＫ１が操作対象となっていれば、スキャン機能のジョブ実行モードを通常モードに設定変更する（原稿Ｄの搬送速度を通常速度に設定する）。一方で、主制御部１１０は、静音モードキーＳＫ１が操作対象となっていれば、スキャン機能のジョブ実行モードを静音モードに設定変更する（原稿Ｄの搬送速度を通常速度よりも遅い速度に設定する）。そして、主制御部１１０は、コピー機能およびプリント機能のジョブ実行モードについては、設定変更せずに従前の設定のまま保持する。
【００６０】
また、プリント機能に対応するモード設定キーＭＫ１に対して機能単位設定操作が行われたとする。この場合、主制御部１１０は、通常モードキーＮＫ１が操作対象となっていれば、プリント機能のジョブ実行モードを通常モードに設定変更する（用紙Ｐの搬送速度を通常速度に設定する）。一方で、主制御部１１０は、静音モードキーＳＫ１が操作対象となっていれば、プリント機能のジョブ実行モードを静音モードに設定変更する（用紙Ｐの搬送速度を通常速度よりも遅い速度に設定する）。そして、主制御部１１０は、スキャン機能およびコピー機能のジョブ実行モードについては、設定変更せずに従前の設定のまま保持する。
【００６１】
また、コピー機能に対応するモード設定キーＭＫ１に対して機能単位設定操作が行われたとする。この場合、主制御部１１０は、通常モードキーＮＫ１が操作対象となっていれば、コピー機能のジョブ実行モードを通常モードに設定変更する（原稿Ｄおよび用紙Ｐの搬送速度を通常速度に設定する）。一方で、主制御部１１０は、静音モードキーＳＫ１が操作対象となっていれば、コピー機能のジョブ実行モードを静音モードに設定変更する（原稿Ｄおよび用紙Ｐの搬送速度を通常速度よりも遅い速度に設定する）。そして、主制御部１１０は、スキャン機能およびプリント機能のジョブ実行モードについては、設定変更せずに従前の設定のまま保持する。
【００６２】
図５に示したコピー機能のモード設定キーＭＫ１では、通常モードキーＮＫ１に対して機能単位設定操作を行うと、コピー機能のジョブ実行時の原稿Ｄおよび用紙Ｐの搬送速度が両方とも通常速度となるよう設定され、静音モードキーＳＫ１に対して機能単位設定操作を行うと、コピー機能のジョブ実行時の原稿Ｄおよび用紙Ｐの搬送速度が両方とも通常速度よりも遅くなるよう設定される。すなわち、コピー機能のジョブ実行時の原稿Ｄおよび用紙Ｐの搬送速度を別々に設定することができない。このため、コピー機能のような２つ以上の機能で実現される複合機能については、複合機能を成す２つ以上の機能毎に機能単位設定操作を受け付けるようになっていてもよい。
【００６３】
たとえば、操作パネル１０９は、図６に示すように、コピー機能の表示領域ＤＡ内にスキャン機能およびプリント機能にそれぞれ対応する２つのモード設定キーＭＫ１を表示する。そして、操作パネル１０９は、コピー機能については、スキャン機能およびプリント機能の２つの機能毎に機能単位設定操作を受け付ける。
【００６４】
図６に示したコピー機能のモード設定キーＭＫ１において、スキャン機能に対応するモード設定キーＭＫ１に対して機能単位設定操作が行われたとする。この場合、主制御部１１０は、通常モードキーＮＫ１が操作対象となっていれば、コピー機能のジョブ実行時の原稿Ｄの搬送速度が通常速度となるよう設定する一方、静音モードキーＳＫ１が操作対象となっていれば、コピー機能のジョブ実行時の原稿Ｄの搬送速度が通常速度よりも遅くなるよう設定する。このとき、主制御部１１０は、コピー機能のジョブ実行時の用紙Ｐの搬送速度については、設定変更せずに従前の設定のまま保持する。
【００６５】
また、図６に示したコピー機能のモード設定キーＭＫ１において、プリント機能に対応するモード設定キーＭＫ１に対して機能単位設定操作が行われたとする。この場合、主制御部１１０は、通常モードキーＮＫ１が操作対象となっていれば、コピー機能のジョブ実行時の用紙Ｐの搬送速度が通常速度となるよう設定する一方、静音モードキーＳＫ１が操作対象となっていれば、コピー機能のジョブ実行時の用紙Ｐの搬送速度が通常速度よりも遅くなるよう設定する。このとき、主制御部１１０は、コピー機能のジョブ実行時の原稿Ｄの搬送速度については、設定変更せずに従前の設定のまま保持する。
【００６６】
操作パネル１０９は、ジョブ実行モード設定画面ＪＳを表示するとき、複数種の機能にそれぞれ設定されたジョブ実行モードが通常モードであるか静音モードであるかを視覚的に識別可能に示す。たとえば、操作パネル１０９は、所定機能のジョブ実行モードが通常モードに設定されている場合、所定機能に対応するモード設定キーＭＫ１のうち、通常モードキーＮＫ１の表示形態を第１表示形態とするとともに、静音モードキーＳＫ１の表示形態を第１表示形態とは異なる第２表示形態とする。一方で、操作パネル１０９は、所定機能のジョブ実行モードが静音モードに設定されている場合、所定機能に対応するモード設定キーＭＫ１のうち、静音モードキーＳＫ１の表示形態を第１表示形態とするとともに、通常モードキーＮＫ１の表示形態を第２表示形態とする。
【００６７】
第１表示形態というのは、たとえば、表示色を有彩色とする表示形態であり、第２表示形態というのは、たとえば、表示色を無彩色とする表示形態である。図５および図６では、便宜上、通常モードキーＮＫ１および静音モードキーＳＫ１のうち、表示色が有彩色とされている第１表示形態で表示されたキーに網掛けを施し、第１表示形態と第２表示形態とを区別している。なお、第１表示形態および第２表示形態で表示するときの表示色を共に有彩色（あるいは、無彩色）とし、第１表示形態で表示するときと第２表示形態で表示するときとで濃淡を異ならせてもよい。
【００６８】
さらに、操作パネル１０９は、通常モードキーＮＫ１を第１表示形態で表示するときの通常モードキーＮＫ１の表示形態および静音モードキーＳＫ１を第１表示形態で表示するときの静音モードキーＳＫ１の表示形態を互いに異ならせる（たとえば、表示色または濃淡を互いに異ならせる）。たとえば、操作パネル１０９は、通常モードキーＮＫ１を第１表示形態で表示するときには、通常モードキーＮＫ１の表示色を赤色とし、静音モードキーＳＫ１を第１表示形態で表示するときには、静音モードキーＳＫ１の表示色を青色とする（図５および図６では、網掛けの向きで表示色の違いを表現している）。
【００６９】
また、図５に示すように、ジョブ実行モード設定画面ＪＳ内には、モード設定キーＭＫ１と共に画像形成装置１００の装置イメージＡＩが表示される。操作パネル１０９は、装置イメージＡＩを表示するとき、複数種の機能のうち通常モードに設定された機能を実現するための装置部分の表示形態を第３表示形態とし、複数種の機能のうち静音モードに設定された機能を実現するための装置部分の表示形態を第３表示形態とは異なる第４表示形態とする。たとえば、操作パネル１０９は、第３表示形態で表示する装置部分および第４表示形態で表示する装置部分のそれぞれの表示色または濃淡を互いに異ならせる。
【００７０】
なお、モード設定キーＭＫ１については、対応する機能のジョブ実行モードが通常モードであれば通常モードキーＮＫ１の表示色を赤色とし、対応する機能のジョブ実行モードが静音モードであれば静音モードキーＳＫ１の表示色を青色としている。したがって、装置イメージＡＩについても、モード設定キーＭＫ１の表示形態に合わせて、通常モードに設定された機能を実現するための装置部分の表示色を赤色とし、静音モードに設定された機能を実現するための装置部分の表示色を青色とするのが好ましい。
【００７１】
ところで、たとえば、スキャン機能が通常モードに設定され、コピー機能（スキャン機能とプリント機能とを組み合わせた複合機能）も通常モードに設定されている場合には、装置イメージＡＩの全装置部分の表示形態を第３表示形態とすればよい。しかし、スキャン機能が通常モードに設定された状態において、コピー機能が静音モードに設定される場合がある。この場合には、スキャン機能が通常モードに設定され、コピー機能が静音モードに設定されていることを１つの装置イメージＡＩだけでは表現できない。
【００７２】
したがって、複数種の機能にそれぞれ対応する複数の表示領域ＤＡのうちいずれかがタッチされると、タッチされた表示領域ＤＡに対応する機能のジョブ実行モードが視覚的に識別可能となるよう装置イメージＡＩの表示が切り替わってもよい。たとえば、スキャン機能の表示領域ＤＡがタッチされ、そのときのスキャン機能のジョブ実行モードが通常モードであったとする。この場合、操作パネル１０９は、スキャン機能を実現するための装置部分の表示色が赤色（第３表示形態）とされた装置イメージＡＩを表示する。このときの状態が図５に示した状態である。
【００７３】
そして、図５に示した状態において、スキャン機能のモード設定キーＭＫ１に対して機能単位設定操作が行われ、スキャン機能のジョブ実行モードが静音モードに設定変更されたとする。このとき、操作パネル１０９は、図７に示すように、スキャン機能を実現するための装置部分の表示色が青色（第４表示形態）とされた装置イメージＡＩを表示する。
【００７４】
その後、図７に示した状態から、プリント機能の表示領域ＤＡがタッチされたとする。このときのプリント機能のジョブ実行モードは静音モードである。したがって、操作パネル１０９は、図８に示すように、プリント機能を実現するための装置部分の表示色が青色（第４表示形態）とされた装置イメージＡＩを表示する。
【００７５】
また、図示しないが、操作パネル１０９は、コピー機能の表示領域ＤＡがタッチされると、コピー機能を実現するための装置部分の表示色が現時点のコピー機能のジョブ実行モードを示す表示色とされた装置イメージＡＩを表示し、プリント機能の表示領域ＤＡがタッチされると、プリント機能を実現するための装置部分の表示色が現時点のプリント機能のジョブ実行モードを示す表示色とされた装置イメージＡＩを表示する。
【００７６】
あるいは、図示しないが、スキャン機能を実現するための装置部分の表示色が現時点のスキャン機能のジョブ実行モードを示す表示色とされた装置イメージＡＩ、コピー機能を実現するための装置部分の表示色が現時点のコピー機能のジョブ実行モードを示す表示色とされた装置イメージＡＩ、および、プリント機能を実現するための装置部分の表示色が現時点のプリント機能のジョブ実行モードを示す表示色とされた装置イメージＡＩの３つが同時に表示されてもよい。
【００７７】
また、操作パネル１０９は、装置イメージＡＩの表示領域をタッチする操作も機能単位設定操作として受け付ける。たとえば、操作パネル１０９は、複数種の機能のうちいずれかの機能を実現するための装置部分の表示領域に対して機能単位設定操作が行われると、機能単位設定操作が行われた表示領域に位置する装置部分で実現される機能のジョブ実行モードを設定変更対象として受け付ける。そして、主制御部１１０は、機能単位設定操作が行われた表示領域に位置する装置部分で実現される機能のジョブ実行モードを設定変更する。たとえば、スキャン機能のジョブ実行モードが通常モードに設定された状態において、スキャン機能を実現するための装置部分の表示領域に対して機能単位設定操作を行うと、スキャン機能のジョブ実行モードが静音モードに設定変更される。そして、スキャン機能を実現するための装置部分の表示色が赤色（第３表示形態）から青色（第４表示形態）に変更される。
【００７８】
また、操作パネル１０９は、複数種の機能のジョブ実行モードが通常モードであるか静音モードであるかを視覚的に識別可能に示すアイコンＭＩ１（図４および図９参照）を表示する。たとえば、操作パネル１０９は、ジョブ実行モードキーＪＫの表示領域内にアイコンＭＩ１を表示する。
【００７９】
アイコンＭＩ１は、ジョブ実行モードが通常モードに設定されているか静音モードに設定されているか（ジョブ実行時に発せられる音レベル）に応じて表示を変化させる。そして、ジョブ実行モードが通常モードに設定されている場合には、図４に示すように、音レベルが大きいことを示すアイコンＭＩ１が表示され、ジョブ実行モードが静音モードに設定されている場合には、図９に示すように、音レベルが小さいことを示すアイコンＭＩ１が表示される。
【００８０】
また、操作パネル１０９は、複数種の機能のうちいずれかの機能のジョブ実行モードが設定変更されると、ジョブ実行モードが設定変更されることによってジョブ実行時に発生される音レベルがどれだけ変化するかを示す音情報ＳＩ１を表示する。たとえば、操作パネル１０９は、図５および図７に示すように、ジョブ実行モード設定画面ＪＳ内に音レベルの変化を示すテキストをデシベル単位で表示する。
【００８１】
次に、図１０に示すフローチャートを参照して、複数種の機能のジョブ実行モードを機能単位で設定するときの流れについて説明する。
【００８２】
図１０のフローチャートのスタート時点では、操作パネル１０９がジョブ実行モード設定画面ＪＳを表示しているとする。この状態において、操作パネル１０９に対して機能単位設定操作が行われたことをパネル制御部１５０が検知したとき、図１０のフローチャートがスタートする。
【００８３】
ステップＳ１において、主制御部１１０は、パネル制御部１５０から受信した検知結果に基づき、複数種の機能のうち機能単位設定操作の対象となった所定機能を識別する。
【００８４】
ステップＳ２において、主制御部１１０は、所定機能のジョブ実行モードを設定変更する。このとき、主制御部１１０は、所定機能以外の機能のジョブ実行モードについては、設定変更せずに従前の設定のまま保持する。
【００８５】
ステップＳ３において、主制御部１１０は、パネル制御部１５０に指示し、ジョブ実行モード設定画面ＪＳの表示を変更させる。具体的には、パネル制御部１５０は、所定機能のジョブ実行モードが通常モードに設定された場合、所定機能に対応するモード設定キーＭＫ１のうち、通常モードキーＮＫ１の表示形態を第１表示形態とする（たとえば、表示色を赤色とする）とともに、静音モードキーＳＫ１の表示形態を第２表示形態とする（たとえば、表示色を灰色とする）。一方で、パネル制御部１５０は、所定機能のジョブ実行モードが静音モードに設定された場合、所定機能に対応するモード設定キーＭＫ１のうち、静音モードキーＳＫ１の表示形態を第１表示形態とする（たとえば、表示色を青色とする）とともに、通常モードキーＮＫ１の表示形態を第２表示形態とする（たとえば、表示色を灰色とする）。
【００８６】
さらに、パネル制御部１５０は、所定機能のジョブ実行モードが通常モードに設定された場合、装置イメージＡＩのうち所定機能を実現するための装置部分の表示形態を第３表示形態とする（たとえば、表示色を赤色とする）。一方で、操作パネル１５０は、所定機能のジョブ実行モードが静音モードに設定された場合、装置イメージＡＩのうち所定機能を実現するための装置部分の表示形態を第４表示形態とする（たとえば、表示色を青色とする）。
【００８７】
ステップＳ４において、主制御部１１０は、操作パネル１０９が機能単位設定操作を再び受け付けたか否かを判断する。その結果、操作パネル１０９が機能単位設定操作を受け付けていれば、ステップＳ１に移行する。一方で、操作パネル１０９が機能単位設定操作を受け付けていなければ、ステップＳ５に移行する。
【００８８】
ステップＳ５に移行すると、主制御部１１０は、操作パネル１０９がジョブ実行モード設定画面ＪＳを閉じる終了操作を受け付けたか否かを判断する。なお、操作パネル１０９は、たとえば、ジョブ実行モード設定画面ＪＳ内に表示した「閉じる」というキーＣＫ（図５および図７参照）をタッチする操作を終了操作として受け付ける。その結果、操作パネル１０９が終了操作を受け付けていれば、図１０のフローチャートが終了する。一方で、操作パネル１０９が終了操作を受け付けていなければ、ステップＳ４に移行する。
【００８９】
ところで、画像形成装置１００に複数段の給紙部１０４が装着される場合、給紙部１０４を使用する機能（コピー機能およびプリント機能）については、給紙部１０４単位（給紙カセット４１単位）でジョブ実行モードを設定するためのカセット単位設定操作を受け付けるようになっていてもよい。たとえば、操作パネル１０９は、装置イメージＡＩの給紙部１０４に相当する部分の表示領域がタッチされたとき、そのタッチ操作をカセット単位設定操作として受け付ける。
【００９０】
主制御部１１０は、上段の給紙部１０４に相当する部分の表示領域に対してカセット単位設定操作が行われると、上段の給紙部１０４を使用する機能のジョブ実行モードを設定変更し、下段の給紙部１０４を使用する機能のジョブ実行モードについては設定変更せずに従前の設定のまま保持する。また、主制御部１１０は、下段の給紙部１０４に相当する部分の表示領域に対してカセット単位設定操作が行われると、下段の給紙部１０４を使用する機能のジョブ実行モードを設定変更し、上段の給紙部１０４を使用する機能のジョブ実行モードについては設定変更せずに従前の設定のまま保持する。
【００９１】
なお、複数種の機能のジョブ実行モードを機能単位で設定するための機能単位設定操作を受け付ける画面は、図５および図７に示したジョブ実行モード設定画面ＪＫに限定されない。
【００９２】
たとえば、操作パネル１０９は、図１１に示すようなメニュー画面ＭＳ１を表示する。続いて、メニュー画面ＭＳ１内の「静音モード」と表記されたメニュー欄Ｃ１がタッチされると、操作パネル１０９は、図１２に示すようなメニュー画面ＭＳ２を表示する。メニュー画面ＭＳ２には、「ＯＦＦ」と表記されたメニュー欄Ｃ１１、「スキャン機能のみ」の表記されたメニュー欄Ｃ１２、「プリント機能のみ」と表記されたメニュー欄Ｃ１３、および、「両方」と表記されたメニュー欄Ｃ１４が表示される。そして、操作パネル１０９は、メニュー画面ＭＳ２内のメニュー欄Ｃ１１〜Ｃ１４のうち、メニュー欄Ｃ１２またはＣ１３がタッチされると、そのタッチ操作を機能単位設定操作として受け付ける。
【００９３】
主制御部１１０は、メニュー欄Ｃ１２に対して機能単位設定操作が行われると、スキャン機能のジョブ実行モードを静音モードに設定する。また、主制御部１１０は、メニュー欄Ｃ１３に対して機能単位設定操作が行われると、プリント機能のジョブ実行モードを静音モードに設定する。なお、メニュー画面ＭＳ２において、スキャン機能というのは、複合機能であるコピー機能を成すスキャン機能も含み、プリント機能というのは、複合機能であるコピー機能を成すプリント機能も含む。
【００９４】
また、操作パネル１０９は、メニュー画面ＭＳ２において、複数種の機能のジョブ実行モードを全て同じジョブ実行モードに一括変換するための一括変換操作を受け付ける。具体的には、操作パネル１０９は、メニュー画面ＭＳ２内のメニュー欄Ｃ１１〜Ｃ１４のうち、メニュー欄Ｃ１１またはＣ１４がタッチされると、そのタッチ操作を一括変換操作として受け付ける。主制御部１１０は、メニュー欄Ｃ１１に対して一括変換操作が行われると、複数種の機能のジョブ実行モードを全て通常モードに設定し、メニュー欄Ｃ１４に対して一括変換操作が行われると、複数種の機能のジョブ実行モードを全て静音モードに設定する。
【００９５】
なお、操作パネル１０９は、図１１に示したメニュー画面ＭＳ１内の「ジョブ単位での変更」と表記されたメニュー欄Ｃ２がタッチされると、図１３に示すようなメニュー画面ＭＳ３を表示する。メニュー画面ＭＳ３には、「許可する」と表記されたメニュー欄Ｃ２１、および、「許可しない」と表記されたメニュー欄Ｃ２２が表示される。
【００９６】
そして、メニュー欄Ｃ２１をタッチすると、実行対象ジョブのジョブ実行モードを実行対象ジョブ単位で設定変更できるようになり、メニュー欄Ｃ２２をタッチすると、実行対象ジョブのジョブ実行モードを実行対象ジョブ単位で設定変更できなくなる。なお、実行対象ジョブ単位での実行対象ジョブのジョブ実行モードの設定変更については、後に詳細に説明する。
【００９７】
たとえば、画像形成装置１００にユーザー認証機能を搭載し、画像形成装置１００を管理する管理者にのみ、図１１〜図１３に示す画面で操作する権限を与えるようにしてもよい。なお、ユーザー認証機能については、後に詳細に説明する。
【００９８】
（実行対象ジョブ単位での実行対象ジョブのジョブ実行モードの設定）
操作パネル１０９は、実行対象ジョブ（実行中ジョブおよび待機中ジョブの少なくとも一方のジョブ）のジョブ実行モードを実行対象ジョブ単位で設定するためのジョブ単位設定操作を受け付ける。この操作パネル１０９によるジョブ単位設定操作の受け付けは、実行対象ジョブが実行されているジョブ実行中期間および実行対象ジョブが待機させられているジョブ待機中期間の少なくとも一方の期間に行われる。
【００９９】
まず、実行対象ジョブがプリントジョブ（コピージョブのプリント処理も含む）である場合について説明する。
【０１００】
操作パネル１０９は、実行対象ジョブがプリントジョブである場合、ジョブ実行中期間およびジョブ待機中期間の少なくとも一方の期間に状況確認キー９５（図２参照）が押下されると、図１４に示すようなジョブ実行状況画面ＳＳ１を表示する。ジョブ実行状況画面ＳＳ１内には、実行対象ジョブのジョブ情報（たとえば、ファイル形式やデータ名など）が表示される。このジョブ実行状況画面ＳＳ１では、実行対象ジョブが実行中ジョブであるか待機中ジョブであるかを区別するため、実行中ジョブのジョブ情報の表示色が反転される（白抜きとされる）。図１４には、一例として、実行対象ジョブが実行中ジョブである場合のジョブ実行状況画面ＳＳ１を図示している。
【０１０１】
ジョブ実行状況画面ＳＳ１内には、通常モードキーＮＫ２および静音モードキーＳＫ２を有するモード設定キーＭＫ２も表示される。このモード設定キーＭＫ２は、ジョブ実行状況画面ＳＳ１内に表示されたジョブ情報に対応する実行対象ジョブのジョブ実行モードの設定変更を受け付けるためのキーである。また、通常モードキーＮＫ２は、ジョブ実行モードを通常モードに設定変更するためのキーであり、静音モードキーＳＫ２は、ジョブ実行モードを静音モードに設定変更するためのキーである。
【０１０２】
操作パネル１０９は、モード設定キーＭＫ２がタッチされると、そのタッチ操作をジョブ単位設定操作として受け付ける。そして、主制御部１１０は、操作パネル１０９が機能単位設定操作を受け付けたとき、操作パネル１０９が受け付けたジョブ単位設定操作に基づき、実行対象ジョブのジョブ実行モードを実行対象ジョブ単位で設定変更する。
【０１０３】
具体的には、主制御部１１０は、モード設定キーＭＫ２に対してジョブ単位設定操作が行われたとき、通常モードキーＮＫ２が操作対象となっていれば、実行対象ジョブのジョブ実行モードを通常モードに設定変更する。一方で、主制御部１１０は、モード設定キーＭＫ２に対してジョブ単位設定操作が行われたとき、静音モードキーＳＫ２が操作対象となっていれば、実行対象ジョブのジョブ実行モードを静音モードに設定変更する。
【０１０４】
このとき、主制御部１１０は、実行対象ジョブが実行中ジョブであれば、搬送中の用紙Ｐが全て排出されてから、実行対象ジョブを一時停止させる。そして、主制御部１１０は、実行対象ジョブのジョブ実行モードを設定変更した後、設定変更後のジョブ実行モードに応じた処理速度で実行対象ジョブを再開させる。また、主制御部１１０は、実行対象ジョブが待機中ジョブであれば、実行対象ジョブのジョブ実行モードを設定変更した後、設定変更後のジョブ実行モードに応じた処理速度で実行対象ジョブを開始させる。
【０１０５】
ここまでは、実行対象ジョブが１つである場合について説明したが、実行対象ジョブが１つであるとは限らず、複数の実行対象ジョブが存在する場合がある。たとえば、所定実行対象ジョブの実行中に別の実行対象ジョブが待機させられている場合がある。このような場合、ジョブ実行状況画面ＳＳ１内に表示するモード設定キーＭＫ２が１つだけでは、複数の実行対象ジョブのジョブ実行モードを実行対象ジョブ単位で設定変更できない。したがって、操作パネル１０９は、図１５に示すように、複数の実行対象ジョブにそれぞれ対応する複数のモード設定キーＭＫ２を表示する。たとえば、操作パネル１０９は、複数の実行対象ジョブのジョブ情報がそれぞれ表記された複数の表記欄にモード設定キーＭＫ２を１つずつ表示する。
【０１０６】
そして、主制御部１１０は、モード設定キーＭＫ２に対してジョブ単位設定操作が行われたとき、通常モードキーＮＫ２が操作対象となっていれば、ジョブ単位設定操作が行われたモード設定キーＭＫ２に対応する所定実行対象ジョブのジョブ実行モードを通常モードに設定変更する。一方で、主制御部１１０は、モード設定キーＭＫ２に対してジョブ単位設定操作が行われたとき、静音モードキーＳＫ２が操作対象となっていれば、ジョブ単位設定操作が行われたモード設定キーＭＫ２に対応する所定実行対象ジョブのジョブ実行モードを静音モードに設定変更する。このとき、主制御部１１０は、所定実行対象ジョブ以外の実行対象ジョブのジョブ実行モードについては、設定変更せずに従前の設定のまま保持する。
【０１０７】
次に、実行対象ジョブがスキャンジョブ（コピージョブのスキャン処理も含む）である場合について説明する。
【０１０８】
操作パネル１０９は、実行対象ジョブがスキャンジョブである場合、図１６に示すようなジョブ実行状況画面ＳＳ２をジョブ実行中期間に表示する。ジョブ実行状況画面ＳＳ２内には、たとえば、スキャンジョブが実行中であることを示すメッセージが表示される。そして、操作パネル１０９は、ジョブ実行状況画面ＳＳ２内にモード設定キーＭＫ２も表示し、そのモード設定キーＭＫ２をタッチする操作をジョブ単位設定操作として受け付ける。そして、主制御部１１０は、操作パネル１０９が機能単位設定操作を受け付けたとき、操作パネル１０９が受け付けたジョブ単位設定操作に基づき、実行対象ジョブのジョブ実行モードを実行対象ジョブ単位で設定変更する。
【０１０９】
ところで、操作パネル１０９は、ジョブ実行状況画面ＳＳ１およびＳＳ２を表示するとき、実行対象ジョブのジョブ実行モードが通常モードであるか静音モードであるかを視覚的に識別可能に示す。たとえば、操作パネル１０９は、実行対象ジョブのジョブ実行モードが通常モードである場合、モード設定キーＭＫ２のうち、通常モードキーＮＫ２の表示形態を第１表示形態とする（たとえば、表示色を有彩色とする）とともに、静音モードキーＳＫ２の表示形態を第１表示形態とは異なる第２表示形態とする（たとえば、表示色を無彩色とする）。一方で、操作パネル１０９は、実行対象ジョブのジョブ実行モードが静音モードである場合、モード設定キーＭＫ２のうち、静音モードキーＳＫ２の表示形態を第１表示形態とするとともに、通常モードキーＮＫ２の表示形態を第２表示形態とする。図１４〜図１６では、便宜上、通常モードキーＮＫ２および静音モードキーＳＫ２のうち、第１表示形態で表示されたキーに網掛けを施し、第１表示形態と第２表示形態とを区別している。
【０１１０】
さらに、操作パネル１０９は、通常モードキーＮＫ２を第１表示形態で表示するときの通常モードキーＮＫ２の表示形態および静音モードキーＳＫ２を第１表示形態で表示するときの静音モードキーＳＫ２の表示形態を互いに異ならせる（たとえば、表示色または濃淡を互いに異ならせる）。
【０１１１】
なお、図５〜図７に示したモード設定キーＭＫ１については、対応する機能のジョブ実行モードが通常モードであれば通常モードキーＮＫ１の表示色を赤色とし、対応する機能のジョブ実行モードが静音モードであれば静音モードキーＳＫ１の表示色を青色としている。したがって、モード設定キーＭＫ２についても、モード設定キーＭＫ１の表示形態に合わせて、実行対象ジョブのジョブ実行モードが通常モードであれば通常モードキーＮＫ２の表示色を赤色とし、実行対象ジョブのジョブ実行モードが静音モードであれば静音モードキーＳＫ２の表示色を青色とするのが好ましい。
【０１１２】
また、操作パネル１０９は、主制御部１１０により設定されたジョブ実行モードが通常モードであるか静音モードであるかを視覚的に識別可能に示すアイコンＭＩ２（図１４〜図１６参照）を表示する。たとえば、操作パネル１０９は、モード設定キーＭＫ２の表示領域内にアイコンＭＩ２を表示する。
【０１１３】
また、操作パネル１０９は、ジョブ実行モードが設定変更されることによってジョブ実行時に発生される音レベルがどれだけ変化するかを示す音情報ＳＩ２を表示する。たとえば、操作パネル１０９は、図１４〜図１６に示すように、ジョブ実行状況画面ＳＳ１（ＳＳ２）内に音レベルの変化を示すテキストをデシベル単位で表示する。
【０１１４】
次に、図１７に示すフローチャートを参照して、実行対象ジョブのジョブ実行モードを実行対象ジョブ単位で設定するときの流れについて説明する。
【０１１５】
図１７のフローチャートのスタート時点では、操作パネル１０９がジョブ実行状況画面ＳＳ１（ＳＳ２）を表示しているとする。この状態において、操作パネル１０９に対してジョブ単位設定操作が行われたことをパネル制御部１５０が検知したとき、図１７のフローチャートがスタートする。
【０１１６】
ステップＳ１１において、主制御部１１０は、パネル制御部１５０から受信した検知結果に基づき、ジョブ単位設定操作の対象となった所定実行対象ジョブを識別する。
【０１１７】
ステップＳ１２において、主制御部１１０は、所定実行対象ジョブのジョブ実行モードを設定変更する。このとき、主制御部１１０は、所定実行対象ジョブが実行中ジョブである場合には、所定実行対象ジョブを一時停止させ、所定実行対象ジョブのジョブ実行モードを設定変更した後、設定変更後のジョブ実行モードに応じた処理速度で所定実行対象ジョブを再開させる。また、所定実行対象ジョブを含む複数の実行対象ジョブが存在する場合には、所定実行対象ジョブのジョブ実行モードのみを設定変更し、所定実行対象ジョブ以外の実行対象ジョブのジョブ実行モードについては設定変更せずに従前の設定のまま保持する。
【０１１８】
ステップＳ１３において、主制御部１１０は、パネル制御部１５０に指示し、ジョブ実行状況画面ＳＳ１（ＳＳ２）の表示を変更させる。具体的には、パネル制御部１５０は、所定実行対象ジョブのジョブ実行モードが通常モードに設定された場合、所定実行対象ジョブに対応するモード設定キーＭＫ２のうち、通常モードキーＮＫ２の表示形態を第１表示形態とするとともに、静音モードキーＳＫ２の表示形態を第２表示形態とする。一方で、パネル制御部１５０は、所定実行対象ジョブのジョブ実行モードが静音モードに設定された場合、所定実行対象ジョブに対応するモード設定キーＭＫ２のうち、静音モードキーＳＫ２の表示形態を第１表示形態とするとともに、通常モードキーＮＫ２の表示形態を第２表示形態とする。
【０１１９】
ステップＳ１４において、主制御部１１０は、操作パネル１０９がジョブ単位設定操作を再び受け付けたか否かを判断する。その結果、操作パネル１０９がジョブ単位設定操作を受け付けていれば、ステップＳ１１に移行する。一方で、操作パネル１０９がジョブ単位設定操作を受け付けていなければ、ステップＳ１５に移行する。
【０１２０】
ステップＳ１５に移行すると、主制御部１１０は、実行対象ジョブの実行が全て終了したか否かを判断する。その結果、実行対象ジョブの実行が全て終了していれば、図１７のフローチャートが終了する。一方で、実行対象ジョブの実行が全て終了していなければ、ステップＳ１４に移行する。
【０１２１】
ところで、実行対象ジョブのジョブ量に応じて、実行対象ジョブのジョブ実行モードが設定変更されてもよい。この場合、主制御部１１０は、実行対象ジョブのジョブデータに基づきジョブ量を算出し、実行対象ジョブのジョブ量が予め定められた閾値を超えたか否かを判断する。そして、主制御部１１０は、実行対象ジョブのジョブ量が閾値を超えていれば、実行対象ジョブのジョブ実行モードを通常モードに設定する一方、実行対象ジョブのジョブ量が閾値を超えていなければ、実行対象ジョブのジョブ実行モードを静音モードに設定する。
【０１２２】
たとえば、主制御部１１０は、プリントジョブ（コピージョブのプリント処理も含む）を実行するとき、プリントジョブのジョブ量が閾値を超えていれば、プリントジョブのジョブ実行モードを通常モードに設定し、プリントジョブのジョブ量が閾値を超えていなければ、プリントジョブのジョブ実行モードを静音モードに設定する。あるいは、主制御部１１０は、プリントジョブを実行するとき、待機中ジョブのジョブ量が閾値を超えていれば、プリントジョブのジョブ実行モードを通常モードに設定し、待機中ジョブのジョブ量が閾値を超えていなければ、プリントジョブのジョブ実行モードを静音モードに設定する。また、主制御部１１０は、プリントジョブの実行中に待機中ジョブのジョブ量が閾値を超えれば、実行中のプリントジョブのジョブ実行モードを通常モードに設定し、プリントジョブの実行中に待機中ジョブのジョブ量が閾値以下になれば、実行中のプリントジョブのジョブ実行モードを静音モードに設定する。
【０１２３】
また、たとえば、主制御部１１０は、スキャンジョブ（コピージョブのスキャン処理も含む）の実行中に、読み込み枚数（ジョブ量に相当）をカウントする。そして、主制御部１１０は、読み込み枚数が予め定められた閾値を超えたとき、実行中のスキャンジョブのジョブ実行モードが静音モードに設定されていれば、実行中のスキャンジョブのジョブ実行モードを通常モードに設定変更する。
【０１２４】
（電力モードと連動したジョブ実行モード（デフォルトモード）の設定）
【０１２５】
操作パネル１０９は、通常電力モードから省電力モードへの移行を禁止するか否かを設定するための電力モード設定操作を受け付ける。操作パネル１０９は、電力モード設定操作を受け付けるとき、たとえば、図１８に示すような電力モード設定画面ＥＳを表示する。操作パネル１０９は、「はい」というキーＫ１がタッチされると、通常電力モードから省電力モードへの移行を禁止する旨を受け付ける。主制御部１１０は、操作パネル１０９が通常電力モードから省電力モードへの移行を禁止する旨を受け付ければ、通常電力モードから省電力モードに移行させない。一方で、操作パネル１０９は、「いいえ」というキーＫ２がタッチされると、通常電力モードから省電力モードへの移行を許可する旨を受け付ける。主制御部１１０は、操作パネル１０９が通常電力モードから省電力モードへの移行を許可する旨を受け付ければ、通常電力モードから省電力モードへの移行条件が満たされたとき、通常電力モードから省電力モードに移行させる。
【０１２６】
この構成において、記憶部１１２に記憶させるデフォルトのジョブ実行モード（デフォルトモード）を電力モードと連動させてもよい。具体的には、記憶部１１２は、操作パネル１０９が通常電力モードから省電力モードへの移行を禁止する旨を受け付けたとき、通常モードをデフォルトモードとして記憶する。したがって、操作パネル１０９が通常電力モードから省電力モードへの移行を制限する旨を受け付けて以降の画像形成装置１００の起動時には、ジョブ実行モードがデフォルトモードである通常モードに設定される。なお、この場合の画像形成装置１００の起動時というのは、通常電力モードから省電力モードに移行しないので、画像形成装置１００の主電源が切断されてから再び主電源が投入されたときである。
【０１２７】
一方で、記憶部１１２は、操作パネル１０９が通常電力モードから省電力モードへの移行を許可する旨を受け付けたとき、静音モードをデフォルトモードとして記憶する。したがって、操作パネル１０９が通常電力モードから省電力モードへの移行を許可する旨を受け付けて以降の画像形成装置１００の起動時には、ジョブ実行モードがデフォルトモードである静音モードに設定される。なお、この場合の画像形成装置１００の起動時というのは、画像形成装置１００の主電源が切断されてから再び主電源が投入されたとき、あるいは、省電力モードから通常電力モードに復帰したときである。
【０１２８】
（ジョブ実行頻度と連動したジョブ実行モード（デフォルトモード）の設定）
主制御部１１０は、予め定められた所定期間内における通常モードでのジョブ実行頻度と静音モードでのジョブ実行頻度とを比較する。所定期間というのは、特に限定されず、たとえば、画像形成装置１００に主電源が投入されてから切断されるまでの期間であってもよいし、１日〜数十日であってもよい。
【０１２９】
この構成において、記憶部１１２に記憶させるデフォルトのジョブ実行モード（デフォルトモード）をジョブ実行頻度と連動させてもよい。具体的には、記憶部１１２は、所定期間内における通常モードでのジョブ実行頻度が静音モードでのジョブ実行頻度よりも高ければ、通常モードをデフォルトモードとして記憶する。これにより、所定期間内における通常モードでのジョブ実行頻度が静音モードでのジョブ実行頻度よりも高かった場合には、所定期間の終了時点以降の画像形成装置１００の起動時に、ジョブ実行モードがデフォルトモードである通常モードに設定される。
【０１３０】
一方で、記憶部１１２は、所定期間内における静音モードでのジョブ実行頻度が通常モードでのジョブ実行頻度よりも高ければ、静音モードをデフォルトモードとして記憶する。これにより、所定期間内における静音モードでのジョブ実行頻度が通常モードでのジョブ実行頻度よりも高かった場合には、所定期間の終了時点以降の画像形成装置１００の起動時に、ジョブ実行モードがデフォルトモードである静音モードに設定される。
【０１３１】
（ユーザー認証と連動したジョブ実行モード（デフォルトモード）の設定）
画像形成装置１００は、ユーザー認証機能（ログイン機能）を搭載する。このような画像形成装置１００では、ユーザー認証を行うための認証情報が予め登録され、記憶部１１２に記憶される。
【０１３２】
認証を受けるユーザーは、まず、自身の識別情報（たとえば、ユーザー名やパスワード）を入力する。ユーザーからの識別情報の入力受付は、操作パネル１０９が行う。操作パネル１０９は、ユーザーから識別情報の入力を受け付けるとき、図１９に示すような識別情報入力画面ＩＳを表示する。そして、主制御部１１０は、ユーザーにより入力された識別情報と認証情報とに基づいて、識別情報を入力したユーザーを認証するか否かを判断する。たとえば、主制御部１１０は、ユーザーにより入力された識別情報と認証情報とが合致すれば、識別情報を入力したユーザーを認証する（画像形成装置１００へのログインを許可する）。
【０１３３】
ここで、記憶部１１２は、通常モードおよび静音モードのうちいずれかをデフォルトモードとして認証情報に対応付けて記憶する。なお、通常モードおよび静音モードのうちいずれをデフォルトモードとして認証情報に対応付けるかは、認証情報の登録時にユーザーが定めることができる。そして、主制御部１１０は、識別情報を入力したユーザーを認証した場合、認証の基となった認証情報に対応するデフォルトモードをジョブ実行モードとして設定する。
【０１３４】
なお、画像形成装置１００にユーザー認証機能を搭載する場合、画像形成装置１００を管理する管理者にのみジョブ実行モードを設定変更する権限を与え、管理者以外の一般ユーザーがジョブ実行モードの設定変更を行えないようにしてもよい。あるいは、複数種の機能のジョブ実行モードを機能単位で設定変更する権限のみを一般ユーザーに与えてもよいし、実行対象ジョブのジョブ実行モードを実行対象ジョブ単位で設定変更する権限のみを一般ユーザーに与えてもよい。
【０１３５】
（ジョブ実行モードに基づくファンの駆動制御）
主制御部１１０は、ジョブ実行モードが通常モードに設定した場合と静音モードに設定した場合とで、ファン１００Ｆの駆動時間（ジョブ終了後に継続して駆動させ続ける時間）も異ならせる。具体的には、ファン１００Ｆは、ジョブ実行モードが静音モードである場合には、ジョブ実行モードが通常モードである場合よりも、ジョブ終了後に継続して駆動し続ける時間を短くする。
【０１３６】
本実施形態の画像形成装置１００は、通常モードでは通常処理速度でジョブを実行し、静音モードでは静音処理速度でジョブを実行するジョブ実行部１０８と、通常モードおよび静音モードのうちいずれのジョブ実行モードでジョブを実行するかを設定する主制御部１１０（モード設定部）と、ジョブ実行モードの設定操作を受け付ける操作パネル１０９（操作部）と、を備える。そして、操作パネル１０９は、実行中ジョブおよび待機中ジョブの少なくとも一方のジョブである実行対象ジョブのジョブ実行モードを実行対象ジョブ単位で設定するためのジョブ単位設定操作を、実行対象ジョブが実行されているジョブ実行中期間および実行対象ジョブが待機させられているジョブ待機中期間の少なくとも一方の期間に受け付ける。主制御部１１０は、操作パネル１０９がジョブ単位設定操作を受け付けたとき、操作パネル１０９が受け付けたジョブ単位設定操作に基づき、ジョブ実行モードを実行対象ジョブ単位で設定する。ジョブ実行部１０８は、主制御部１１０により設定されたジョブ実行モードで実行対象ジョブを実行する。
【０１３７】
本実施形態の構成では、ジョブ実行中期間およびジョブ待機中期間の少なくとも一方の期間に、実行対象ジョブのジョブ実行モードを実行対象ジョブ単位で設定変更することができる。すなわち、実行対象ジョブの実行中にその実行中の実行対象ジョブのジョブ実行モードを設定変更することができ、実行対象ジョブの待機中にその待機中の実行対象ジョブのジョブ実行モードを設定変更することもできる。また、実行対象ジョブのジョブ実行モードを実行対象ジョブ単位で設定変更することができるので、複数の実行対象ジョブが待機中である場合に、複数の実行対象ジョブのうちから特定の実行対象ジョブのジョブ実行モードのみを設定変更し、残りの実行対象ジョブのジョブ実行モードについては従前の設定のまま保持する、といったことも行える。さらに、実行対象ジョブの実行中に別の実行対象ジョブが待機中である場合に、実行中の実行対象ジョブのジョブ実行モードのみを設定変更する、あるいは、待機中の実行対象ジョブのジョブ実行モードのみを設定変更する、といったことも行える。これにより、ユーザーの利便性が向上する。
【０１３８】
また、本実施形態では、上記のように、操作パネル１０９は、タッチパネル付きの液晶表示部９１（表示部）を含み、ジョブ実行中期間およびジョブ待機中期間の少なくとも一方の期間に、通常モードに設定変更するための通常モードキーＮＫ２および静音モードに設定変更するための静音モードキーＳＫ２を有するモード設定キーＭＫ２を液晶表示部９１に表示させるとともに、モード設定キーＭＫ２をタッチする操作をジョブ単位設定操作として受け付ける。そして、主制御部１１０は、モード設定キーＭＫ２に対してジョブ単位設定操作が行われたとき、通常モードキーＮＫ２が操作対象となっていれば、実行対象ジョブのジョブ実行モードを通常モードに設定する一方、静音モードキーＳＫ２が操作対象となっていれば、実行対象ジョブのジョブ実行モードを静音モードに設定する。このように構成すれば、ジョブ単位設定操作を簡単な操作（モード設定キーＭＫ２をタッチするだけの操作）にすることができる。
【０１３９】
また、本実施形態では、上記のように、操作パネル１０９は、複数の実行対象ジョブが存在する場合、複数の実行対象ジョブにそれぞれ対応する複数のモード設定キーＭＫ２を表示することにより、ジョブ単位設定操作を実行対象ジョブ単位で受け付ける。このように構成すれば、複数の実行対象ジョブが存在する場合であっても、複数の実行対象ジョブのジョブ実行モードを実行対象ジョブ単位で設定変更することができる。
【０１４０】
また、本実施形態では、上記のように、操作パネル１０９は、ジョブ実行中期間およびジョブ待機中期間の少なくとも一方の期間に、実行対象ジョブの実行状況を示すジョブ実行状況画面ＳＳ１（ＳＳ２）を表示し、ジョブ実行状況画面ＳＳ１（ＳＳ２）内にモード設定キーＭＫ２を表示する。このように構成すれば、実行対象ジョブの実行状況を確認しながら、ジョブ実行モードを設定変更すべきか否かを判断することができる。
【０１４１】
また、本実施形態では、上記のように、操作パネル１０９は、通常モードに設定された実行対象ジョブに対応するモード設定キーＭＫ２のうち、通常モードキーＮＫ２の表示形態を第１表示形態とするとともに、静音モードキーＳＫ２の表示形態を第１表示形態とは異なる第２表示形態とする一方、静音モードに設定された実行対象ジョブに対応するモード設定キーＭＫ２のうち、静音モードキーＳＫ２の表示形態を第１表示形態とするとともに、通常モードキーＮＫ２の表示形態を第２表示形態とする。さらに、操作パネル１０９は、通常モードキーＮＫ２を第１表示形態で表示するときの通常モードキーＮＫ２の表示形態および静音モードキーＳＫ２を第１表示形態で表示するときの静音モードキーＳＫ２の表示形態を互いに異ならせる。このように構成すれば、モード設定キーＭＫ２を見るだけで、そのモード設定キーＭＫ２に対応する実行対象ジョブの現時点のジョブ実行モードを把握することができる。
【０１４２】
また、本実施形態では、上記のように、主制御部１１０は、実行対象ジョブのジョブ量を算出するとともに、ジョブ量が予め定められた閾値を超えたか否かを判断し、ジョブ量が閾値を超えれば、実行対象ジョブのジョブ実行モードを通常モードに設定する一方、ジョブ量が閾値を超えなければ、実行対象ジョブのジョブ実行モードを静音モードに設定する。このように構成すれば、ジョブ実行モードを静音モードに設定していたとしても、ジョブ量が多い場合には、自動的に通常モードに設定変更されるので、ジョブを速やかに終了させることができる。逆に、ジョブ実行モードを通常モードに設定していたとしても、ジョブ量が少ない場合（ジョブ終了までの時間が短いと予想される場合）には、自動的に静音モードに設定変更される。
【０１４３】
また、本実施形態では、上記のように、操作パネル１０９は、ジョブ実行モードを機能単位で設定するための機能単位設定操作を受け付ける。主制御部１１０は、操作パネル１０９が機能単位設定操作を受け付けたとき、操作パネル１０９が受け付けた機能単位設定操作に基づき、ジョブ実行モードを機能単位で設定する。ジョブ実行部１０８は、主制御部１１０により設定されたジョブ実行モードでジョブを実行する。このように構成すれば、複数種の機能のジョブ実行モードを機能単位で設定変更することができる。すなわち、複数種の機能のうち所定機能のジョブ実行モードのみを設定変更し、所定機能以外の機能のジョブ実行モードについては従前の設定のまま保持しておく、といったことが行える。したがって、たとえば、複数種の機能のジョブ実行モードが全て通常モードに設定された状態において、複数種の機能のうち所定機能を使用するときのみ静音モードでジョブを実行したい場合（所定機能以外の機能を使用するときには通常モードでジョブを実行したい場合）であれば、所定機能のジョブ実行モードのみを設定変更することにより、所定機能以外の機能を使用するときにジョブ実行モードを設定変更する必要がなくなる。これにより、ユーザーの操作（ジョブ実行モードを設定変更するための操作）が減るので、ユーザーの利便性が向上する。
【０１４４】
また、本実施形態では、上記のように、操作パネル１０９は、コピー機能（複合機能）についてはコピー機能を成すスキャン機能およびプリント機能の２つの機能毎に機能単位設定操作を受け付ける。このように構成すれば、コピー機能を使用するときに、スキャン処理時とプリント処理時とでジョブ実行モードを異ならせることができる。
【０１４５】
また、本実施形態では、上記のように、操作パネル１０９は、通常モードに設定変更するための通常モードキーＮＫ１および静音モードに設定変更するための静音モードキーＳＫ１を有するモード設定キーＭＫ１を複数種の機能毎に液晶表示部９１に表示させるとともに、モード設定キーＭＫ１をタッチする操作を機能単位設定操作として受け付ける。そして、主制御部１１０は、モード設定キーＭＫ１に対して機能単位設定操作が行われたとき、通常モードキーＮＫ１が操作対象となっていれば、機能単位設定操作が行われたモード設定キーＭＫ１に対応する機能のジョブ実行モードを通常モードに設定する一方、静音モードキーＳＫ１が操作対象となっていれば、機能単位設定操作が行われたモード設定キーＭＫ１に対応する機能のジョブ実行モードを静音モードに設定する。このように構成すれば、機能単位設定操作を簡単な操作（モード設定キーＭＫ１をタッチするだけの操作）にすることができる。また、複数種の機能毎にモード設定キーＭＫ１が表示されるので、どのモード設定キーＭＫ１に対して機能単位設定操作を行えば良いかが分かり易い。
【０１４６】
また、本実施形態では、上記のように、操作パネル１０９は、コピー機能に対応するモード設定キーＭＫ１の表示領域内に、コピー機能を成すスキャン機能およびプリント機能の２つの機能にそれぞれ対応する２つのモード設定キーＭＫ１を表示する。このように構成すれば、容易に、コピー機能を成すスキャン機能およびプリント機能の２つの機能毎に機能単位設定操作を行うことができる。
【０１４７】
また、本実施形態では、上記のように、操作パネル１０９は、通常モードに設定された機能に対応するモード設定キーＭＫ１のうち、通常モードキーＮＫ１の表示形態を第１表示形態とするとともに、静音モードキーＳＫ１の表示形態を第１表示形態とは異なる第２表示形態とする一方、静音モードに設定された機能に対応するモード設定キーＭＫ１のうち、静音モードキーＳＫ１の表示形態を第１表示形態とするとともに、通常モードキーＮＫ１の表示形態を第２表示形態とする。さらに、操作パネル１０９は、通常モードキーＮＫ１を第１表示形態で表示するときの通常モードキーＮＫ１の表示形態および静音モードキーＳＫ１を第１表示形態で表示するときの静音モードキーＳＫ１の表示形態を互いに異ならせる。このように構成すれば、モード設定キーＭＫ１を見るだけで、そのモード設定キーＭＫ１に対応する機能の現時点のジョブ実行モードを把握することができる。
【０１４８】
また、本実施形態では、上記のように、操作パネル１０９は、画像形成装置１００の装置イメージＡＩを液晶表示部９１に表示させる。そして、操作パネル１０９は、装置イメージＡＩを液晶表示部９１に表示させるときに、通常モードに設定された機能を実現するための装置部分の表示形態を第３表示形態とする一方、静音モードに設定された機能を実現するための装置部分の表示形態を第３表示形態とは異なる第４表示形態とする。このように構成すれば、装置イメージＡＩを見るだけで、通常モードに設定された機能および静音モードに設定された機能を把握することができる。
【０１４９】
また、本実施形態では、上記のように、操作パネル１０９は、装置イメージＡＩの表示領域をタッチする操作を機能単位設定操作として受け付ける。そして、主制御部１１０は、装置イメージＡＩの表示領域に対して機能単位設定操作が行われたとき、機能単位設定操作が行われた表示領域に位置する装置部分で実現される機能のジョブ実行モードを設定変更する。このように構成すれば、装置イメージＡＩのうちジョブ実行モードを設定変更したい機能に対応する装置部分をタッチするだけ良いので、機能単位設定操作が直感的で分かり易くなる。
【０１５０】
また、本実施形態では、上記のように、操作パネル１０９は、複数種の機能のジョブ実行モードを全て同じジョブ実行モードに一括変換するための一括変換操作を受け付ける。そして、主制御部１１０は、操作パネル１０９が一括変換操作を受け付けたとき、操作パネル１０９が受け付けた一括変換操作に基づき、複数種の機能のジョブ実行モードを全て同じジョブ実行モードに一括変換する。このように構成すれば、複数種の機能のジョブ実行モードを機能単位で設定できることに加えて、複数種の機能のジョブ実行モードを全て同じジョブ実行モードに一括変換することもできるので、ユーザーの利便性が向上する。
【０１５１】
また、本実施形態では、上記のように、ジョブ実行部１０８は、画像を形成して用紙Ｐに印刷する画像形成部１０６および画像形成部１０６に用紙Ｐを供給する給紙部１０４を含む。そして、操作パネル１０９は、給紙部１０４が画像形成装置１００に複数段装着される場合、給紙部１０４を使用する機能については給紙部１０４単位でジョブ実行モードを設定変更するための操作を受け付ける。このように構成すれば、給紙部１０４が画像形成装置１００に複数段装着される場合に、給紙部１０４単位でジョブ実行モードを設定変更することができる。
【０１５２】
また、本実施形態では、上記のように、通常モードおよび静音モードのうちいずれかをデフォルトモードとして記憶する記憶部１１２と、通常電力モードでは、被電力供給部１８０に対して通常の電力供給を行い、省電力モードでは、被電力供給部１８０に対する電力供給を通常電力モード時よりも制限する電源部１７０とを備える。そして、主制御部１１０は、画像形成装置１００の起動時には、記憶部１１２に記憶されたデフォルトモードをジョブ実行モードとして設定する。また、操作パネル１０９は、通常電力モードから省電力モードへの移行を禁止するか否かを設定するための操作を受け付ける。
【０１５３】
この構成において、通常電力モードから省電力モードへの移行を禁止する旨を操作パネル１０９が受け付けたとき、通常モードをデフォルトモードとして記憶部１１２に記憶させる一方、通常電力モードから省電力モードへの移行を許可する旨を操作パネル１０９が受け付けたとき、静音モードをデフォルトモードとして記憶部１１２に記憶させてもよい。ここで、通常電力モードから省電力モードへの移行を禁止するユーザーは、画像形成装置１００を頻繁に使用するので、ジョブを速やかに終了させたいと考える場合が多い。したがって、通常電力モードから省電力モードへの移行を禁止する旨を操作パネル１０９が受け付けたとき、通常モードをデフォルトモードとして記憶部１１２に記憶させるようにすれば、ユーザーの利便性が向上する。
【０１５４】
また、画像形成装置１００の起動時に設定されるジョブ実行モードが記憶部１１２に記憶されたデフォルトモードとされる構成において、予め定められた所定期間内における通常モードでのジョブ実行頻度が静音モードでのジョブ実行頻度よりも高ければ、通常モードをデフォルトモードとして記憶部１１２に記憶させる一方、所定期間内における静音モードでのジョブ実行頻度が通常モードでのジョブ実行頻度よりも高ければ、静音モードをデフォルトモードとして記憶部１１２に記憶させてもよい。これにより、画像形成装置１００の起動時に設定されるジョブ実行モードが画像形成装置１００の使用状況に応じたジョブ実行モードとなるので、ユーザーの利便性が向上する。
【０１５５】
また、本実施形態では、上記のように、記憶部１１２は、ユーザーの認証を行うための予め登録された認証情報を記憶するとともに、通常モードおよび静音モードのうちいずれかをデフォルトモードとして認証情報に対応付けて記憶する。主制御部１１０は、識別情報と認証情報とに基づき識別情報を入力したユーザーを認証するか否かを判断する。そして、主制御部１１０は、識別情報を入力したユーザーを認証したとき、認証の基となった認証情報に対応するデフォルトモードをジョブ実行モードとして設定する。このように構成すれば、画像形成装置１００の使用に際してユーザーが認証を受けた場合、認証時に設定されるジョブ実行モードが認証ユーザーが予め登録したジョブ実行モードとなるので、ユーザーの利便性が向上する。
【０１５６】
また、本実施形態では、上記のように、操作パネル１０９は、主制御部１１０により設定されたジョブ実行モードが通常モードであるか静音モードであるかを視覚的に識別可能に示すアイコンＭＩ１およびＭＩ２を表示する。このように構成すれば、主制御部１１０により設定されたジョブ実行モードが通常モードであるか静音モードであるかの識別が容易になる。
【０１５７】
また、本実施形態では、上記のように、操作パネル１０９は、ジョブ実行モードが設定変更されることによってジョブ実行時に発生される音レベルがどれだけ変化するかを示す音情報ＳＩ１およびＳＩ２を表示する。これにより、ユーザーの利便性が向上する。
【０１５８】
また、本実施形態では、上記のように、ジョブ実行中に駆動するファン１００Ｆを備える。そして、ファン１００Ｆは、ジョブ実行モードが静音モードである場合には、主制御部１１０により設定されたジョブ実行モードが通常モードである場合よりも、ジョブ終了後に継続して駆動し続ける時間を短くする。このように構成すれば、静音モード時の静音性がさらに高まる。
【０１５９】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１６０】
９１  表示部
１００  画像形成装置
１００Ｆ  ファン
１０８  ジョブ実行部
１０９  操作パネル（操作部）
１１０  主制御部（モード設定部）
１１２  記憶部
１７０  電源部
１８０  被電力供給部
ＭＩ２  アイコン
ＭＫ２  モード設定キー
ＮＫ２  通常モードキー
ＳＩ２  音情報
ＳＫ２  静音モードキー
【図１】
2014213529.tif 000003
【図３】
2014213529.tif 000004
【図４】
2014213529.tif 000005
【図９】
2014213529.tif 000006
【図１０】
2014213529.tif 000007
【図１１】
2014213529.tif 000008
【図１２】
2014213529.tif 000009
【図１３】
2014213529.tif 000010
【図１７】
2014213529.tif 000011
【図１８】
2014213529.tif 000012
【図１９】
2014213529.tif 000013
【図２】
2014213529.tif 000014
【図５】
2014213529.tif 000015
【図６】
2014213529.tif 000016
【図７】
2014213529.tif 000017
【図８】
2014213529.tif 000018
【図１４】
2014213529.tif 000019
【図１５】
2014213529.tif 000020
【図１６】
2014213529.tif 000021